(57)【特許請求の範囲】
【請求項１】
ユーザインタラクションなしにビデオプレーヤにおける故障に全面的に対処するシステムであって、該システムは、
複数の電子ディスプレイアセンブリであって、前記複数の電子ディスプレイアセンブリの各々が、
電子ディスプレイと、
前記電子ディスプレイに電気的に接続され、ネットワークインターフェース構成要素を備えるシステム制御基板と、
前記システム制御基板に電気的に接続された少なくとも１つのビデオプレーヤと、
を備える、前記複数の電子ディスプレイアセンブリと、
それぞれの各電子ディスプレイアセンブリの前記ネットワークインターフェース構成要素と電気的に通信可能であるネットワークオペレーションセンターであって、前記複数の電子ディスプレイアセンブリから遠隔に位置している前記ネットワークオペレーションセンターと、
を備え、
前記システム制御基板の各々は、前記ビデオプレーヤが通信していない場合に、前記ビデオプレーヤに再起動の指示を送信することによって電源ボタンの短押しをシミュレートし、その後、前記電源ボタンの短押しのシミュレート後に前記ビデオプレーヤが通信していないままである場合に、前記ビデオプレーヤに強制再起動の指示を送信することによって前記電源ボタンの長押しをシミュレートするように構成され、
前記ネットワークインターフェース構成要素の各々は、前記システム制御基板を介して前記ビデオプレーヤへの電源に電気的に接続され、その結果、前記システム制御基板の各々は、前記ビデオプレーヤの前記電源ボタンの長押しのシミュレート後に前記ビデオプレーヤが通信していないままである場合に、前記ビデオプレーヤに供給される電力を除去し、所定の時間待機し、前記ビデオプレーヤに電力を供給することを再開するように構成される、システム。
【請求項２】
前記システム制御基板は、前記ビデオプレーヤが通信していないことを決定する時に、停止時間事象を記憶するように構成される、請求項１に記載のシステム。
【請求項３】
前記システム制御基板は、前記停止時間事象を前記ネットワークオペレーションセンターに送信するように構成される、請求項２に記載のシステム。
【請求項４】
前記複数の電子ディスプレイアセンブリの各々は、第１及び第２の前記ビデオプレーヤを備え、
それぞれの各電子ディスプレイアセンブリ用の前記システム制御基板は、前記第１及び第２の前記ビデオプレーヤのうちの、１つの前記ビデオプレーヤを１次として指定し、他の前記ビデオプレーヤを２次として指定するように構成され、
それぞれの各電子ディスプレイアセンブリ用の前記システム制御基板は、前記１次の前記ビデオプレーヤを使用して電子ディスプレイを駆動するように構成され、
それぞれの各電子ディスプレイアセンブリ用の前記システム制御基板は、前記１次の前記ビデオプレーヤが通信していない場合、前記２次の前記ビデオプレーヤに切り替えるように構成される、請求項１に記載のシステム。
【請求項５】
それぞれの各電子ディスプレイアセンブリ用の前記システム制御基板は、前記１次の前記ビデオプレーヤに供給された電力を除去し、所定の時間待機し、前記１次の前記ビデオプレーヤに電力を供給することを再開した後に前記第１次の前記ビデオプレーヤが通信していない場合に、前記２次の前記ビデオプレーヤに切り替えるように構成される、請求項４に記載のシステム。
【請求項６】
該システムは、前記２次の前記ビデオプレーヤが通信しておらず、前記１次の前記ビデオプレーヤが通信している場合、前記１次の前記ビデオプレーヤにスイッチバックするように構成される、請求項５に記載のシステム。
【請求項７】
ユーザとのインタラクションなしにビデオプレーヤにおける故障に全面的に対処する方法であって、該方法は、
各々が、電子ディスプレイと、システム制御基板と、ビデオプレーヤと、を備える、複数のディスプレイアセンブリであって、前記複数のディスプレイアセンブリの各々が遠隔のネットワークオペレーションセンターと電気的に通信可能である、前記複数のディスプレイアセンブリを提供すること、
前記複数のディスプレイアセンブリの各々に電力を供給すること、
前記複数のディスプレイアセンブリの各々が起動可能である時間を設定すること、
それぞれの各ビデオプレーヤを監視して前記ビデオプレーヤが通信しているかどうかを決定すること、
前記ビデオプレーヤうちの１つが通信していないことを決定する時に、前記ネットワークオペレーションセンターに停止時間事象を通知すること、
前記ビデオプレーヤが通信していない場合、その非通信のビデオプレーヤに、前記ビデオプレーヤに再起動の指示を送信することによって電源ボタンの短押しのシミュレートを指示すること、
前記電源ボタンの短押しのシミュレート後に前記非通信の前記ビデオプレーヤが通信していないままである場合に、前記非通信の前記ビデオプレーヤに強制再起動の指示を送信することによって前記電源ボタンの長押しのシミュレートを指示すること、および、
前記電源ボタンの長押しのシミュレート後に前記非通信の前記ビデオプレーヤが通信していないままである場合に、
前記非通信の前記ビデオプレーヤに電力を供給することを止めること、
所定時間待機すること、および
前記非通信の前記ビデオプレーヤに電力を再供給すること、
を含む、方法。
【請求項８】
前記ネットワークオペレーションセンターに前記停止時間事象を通知することは、
前記システム制御基板に前記停止時間事象を記録すること、および
前記停止時間事象を前記ネットワークオペレーションセンターに送信すること、
を含む、請求項７に記載の方法。
【請求項９】
前記複数のディスプレイアセンブリの各々は、２次のビデオプレーヤをさらに備える、請求項７に記載の方法。
【請求項１０】
前記２次の前記ビデオプレーヤが通信していない場合、前記２次の前記ビデオプレーヤで前記電子ディスプレイが動くように、前記複数のディスプレイアセンブリの各々に指示すること、
をさらに含む、請求項９に記載の方法。
【発明の詳細な説明】
【技術分野】
【０００１】
（関連出願の相互参照）
[0001]本出願は、２０１５年９月１０日に出願された米国仮出願第６２／２１６，４７０号の利益を主張し、その開示は、参照により本明細書に組み込まれる。
【０００２】
（技術分野）
[0002]実施形態は、一般に、広告、情報、およびＰＯＳ（point of sale）アプリケーションのために典型的に使用される、電子ディスプレイに関連する。
【背景技術】
【０００３】
（技術背景）
[0003]電子ディスプレイは、屋内、屋外、および半屋外の環境で、広告、情報、ＰＯＳアプリケーションに現在使用されている。一般に、一度設置されると、装置の寿命を通して動作を保証することが望ましい。停止時間は、広告収入と機会が失われ、情報が効果的に公衆に送信されず、顧客はＰＯＳアプリケーションで購入オプションを見ることができないという点で損失が大きくなる可能性がある。
【発明の概要】
【課題を解決するための手段】
【０００４】
（例示的な実施形態の概要）
[0004]本明細書における例示的な実施形態は、１つまたは複数の遠隔電子ディスプレイを可能性のある故障に対して監視し、ユーザの介入を必要とせずにシステムによって直ちに故障が処理されるようにシステムロジックを提供するための、システムおよび方法を提供することができる。本システムは、例えば、ハートビート（heartbeat）信号、状態メッセージ、ＬＥＤ光信号、ビデオ／画像フレームデータ、およびネットワーク通信などの多数のシステム属性を監視することができ、同時に装置の動作の瞬間に近い変更を行い、これにより、ディスプレイの停止時間を低減または排除することができる。
【０００５】
[0005]本発明の前述および他の特徴ならびに利点は、添付の図面に示されるように、特定の実施形態の以下のより詳細な説明から明らかになるであろう。
【図面の簡単な説明】
【０００６】
（図面の簡単な説明）
[0006]例示的な実施形態のより良い理解は、以下の詳細な説明および添付の図面を読むことにより得られ、同一の参照符号は、同一の部分を指す。
【図１】[0007]システムアーキテクチャ全体の例示的な実施形態の簡略ブロック図である。
【図１Ａ】[0008]全体的なシステムアーキテクチャの別の例示的な実施形態の簡略ブロック図である。
【図２】[0009]システムの第１実施形態を動作させるための論理フローチャートである。
【図３】[0010]システムの第２実施形態を動作させるための論理フローチャートである。
【図４】[0011]システムの第３実施形態を動作させるための論理フローチャートである。
【図５】[0012]システムの第４実施形態を動作させるための論理フローチャートである。
【図６】[0013]システムの第５実施形態を動作させるための論理フローチャートである。
【図７】[0014]システムの第６実施形態を動作させるための論理フローチャートである。
【図８】[0015]システムの第７実施形態を動作させるための論理フローチャートである。
【図９】[0016]システムの第８実施形態を動作させるための論理フローチャートである。
【０００７】
（詳細な説明）
[0017]本発明は、本発明の例示的な実施形態が示されている添付の図面を参照して、以下により完全に説明される。しかしながら、本発明は、多くの異なる形態で実施することができ、本明細書に記載された例示的な実施形態に限定されると解釈されるべきではない。むしろ、これらの実施形態は、本開示が徹底的かつ完全であり、本発明の範囲を当業者に完全に伝えるように提供される。なお、図面において、層および領域のサイズおよび相対的なサイズは、明確にするために誇張されている場合がある。
【０００８】
[0018]本明細書で使用する用語は、特定の実施形態のみを説明するためのものであり、本発明を限定するものではない。本明細書で使用されるように、単数形「ａ」、「ａｎ」および「ｔｈｅ」は、文脈がそうでないことを明確に示さない限り、複数形も含むことが意図される。本明細書で使用される場合、用語「含む（ｃｏｍｐｒｉｓｅｓ）」および／または「含んでいる（ｃｏｍｐｒｉｓｉｎｇ）」は、記載された特徴、整数、ステップ、動作、要素および／または構成要素の存在を特定するが、１つまたは複数の他の特徴、整数、ステップ、動作、要素、構成要素、および／またはそれらのグループの存在または追加を排除するものではないことがさらに理解される。
【０００９】
[0019]本発明の実施形態は、本発明の理想化された実施形態（および中間構造体）の概略図である図を参照して本明細書で説明される。このように、例えば製造技術および／または公差の結果としての図の形状からの変形が期待される。したがって、本発明の実施形態は、本明細書に示す領域の特定の形状に限定されるものと解釈されるべきではなく、例えば製造から生じる形状のずれを含むものとする。
【００１０】
[0020]他に定義されない限り、本明細書で使用される全ての用語（技術用語および科学用語を含む）は、本発明が属する技術分野の当業者によって一般的に理解されるのと同じ意味を有する。一般的に使用される辞書に定義された用語のような用語は、関連技術の文脈における意味と一致する意味を有すると解釈され、本明細書で明示的に定義されていない限り、理想化されたまたは過度に形式的な意味で解釈されることはないことがさらに理解される。
【００１１】
[0021]最初に、当業者は、本明細書で説明される電子ディスプレイが、静止画像とビデオ（動画像）との両方を表示することができることを理解することに留意されたい。したがって、「画像」および「ビデオ」という用語は、本明細書では交換可能に使用されてもよいことを認識すべきである。さらに、当業者おける通常のレベルのスキルを有する者は、本明細書に記載の電気的接続が有線でも無線でもよいことを理解するであろう。
【００１２】
[0022]図１は、全体的なシステムアーキテクチャの例示的な実施形態の簡略化されたブロック図である。システム制御基板１０１は、好ましくは、少なくともプロセッサ５０と、電子記憶装置６０と、および（好ましくは電源ボタン７５を備える）ネットワークインターフェース構成要素７０と、を備える。本発明の例示的な実施形態では、電源ボタン７５は、システム制御基板１０１に電気的に接続され、システム制御基板１０１は、本明細書でより詳細に説明するようにユーザが電源ボタン７５を物理的に押すことをシミュレートすることができるようになる。例えば、限定はしないが、ネットワークインターフェース構成要素７０は、システム制御基板１０１上の電力制御ヘッダを介して電源ボタン７５に電気的に接続することができる。同様に、システム制御基板１０１は、ディスプレイアセンブリ２００ａのための電源に電気的に接続することができ、その結果、システム制御基板１０１がユーザに物理的に電源を取り除く（すなわち、プラグを抜いて電気を切る）こと、および電源を再取り付けすること（すなわち、再度プラグインする）をシミュレートすることができる。
【００１３】
[0023]タイミングおよび制御基板（ＴＣＯＮ）１０２は、システム制御基板１０１および電子ディスプレイ３０と電気的に接続されていることが好ましい。１次ビデオプレーヤ１０３ａも、システム制御基板１０１と電気的に接続されていることが好ましい。オプションの２次プレーヤ１０３ｂも、システム制御基板１０１と電気的に接続されていてもよい。各ビデオプレーヤは、好ましくは、電源ボタン１０４および電源ＬＥＤ１０５（それぞれ１０４ａ、１０５ａ、１０４ｂおよび１０５ｂとラベル付けされている）を備える。電源ボタン７５と同様に、ネットワークインターフェース構成要素７０は、システム制御基板１０１を介して電源ボタン１０４および電源ＬＥＤ１０５ならびにビデオプレーヤ１０３ａおよび１０３ｂへの電源に電気的に接続されてもよく、システムは、電源ボタン１０４を物理的に押すだけでなく、ビデオプレーヤ１０３への電源を物理的に取り外して再取り付けすることをシミュレートすることができるようになる。
【００１４】
[0024]ネットワークオペレーションセンター装置２００は、好ましくは、少なくともプロセッサ５１と、電子記憶装置６１と、およびディスプレイアセンブリ２００ａ上のネットワークインターフェース構成要素７０と通信するネットワークインターフェース構成要素７１と、を備える。２つの他のディスプレイアセンブリ２００ｂおよび２００ｃは、ネットワークオペレーションセンター装置２００と電気的に接続されて示されており、また、それらの各々は、ディスプレイアセンブリ２００ａについて図示および説明されたのと同じ構成要素を有することが好ましいが、これは必須ではない。しかしながら、いくつかの実施形態では、ネットワークオペレーションセンター装置と電気的に接続された３つ以上のディスプレイアセンブリが存在し得ることもある。
【００１５】
[0025]図１Ａは、システムアーキテクチャ全体の別の例示的な実施形態の簡略ブロック図である。本実施形態では、ディスプレイアセンブリ２００ｄは、図１に示すものと同様であってもよいが、第１ディスプレイ３０ａおよび第２ディスプレイ３０ｂから構成されてもよい。第１ディスプレイ３０ａは、第１ＴＣＯＮ１０２ａと電気的に接続されていてもよく、第２ディスプレイ３０ｂは、第２ＴＣＯＮ１０２ｂと電気的に接続されていてもよい。第１および第２のＴＣＯＮ１０２ａおよび１０２ｂはそれぞれ、システム制御基板１０１と電気的に通信することができる。ビデオプレーヤ１０３ａおよび１０３ｂは、それぞれ、システム制御基板１０１との２つの電気的接続点を含み、各ビデオプレーヤ１０３ａおよび１０３ｂは、第１および第２のディスプレイ３０ａおよび３０ｂの両方を制御するようになる。
【００１６】
[0026]図２は、システムの第１実施形態を動作させるための論理フローチャートである。本実施形態では、システムは、ビデオプレーヤ１０３ａに電力を供給することによって開始する。次に、システムは、タイマーまたはカウンタの使用などによって、次に、ディスプレイアセンブリが起動する時間を可能にし得るが、これに限定されるものではない。
【００１７】
[0027]本実施形態では、システムは、次に、ビデオプレーヤ１０３ａを監視して、通信中であるかどうかを確認し、したがって、正常動作を示すことができる。システムは、通常の動作を示すか、システムの他の部分を同期させるためにビデオプレーヤ１０３ａによって周期的に生成されるハートビート信号をチェックすることによって、ビデオプレーヤ１０３ａを監視することができる。あるいは、システムは、電源ＬＥＤ１０５からの信号を監視して、それがアクティブであるかどうかを確認することができる。別の代替案として、システムは、ビデオプレーヤ１０３ａが応答するかどうかを確認するためにピングを送信することができる。さらに別の実施形態では、システムは、プレーヤ１０３ａから制御基板１０１に定期的に送信され得る状態メッセージをチェックすることができる。ビデオプレーヤ１０３ａが前述の手段または他の手段のいずれかを介して通信している場合、システムは、ビデオプレーヤ１０３ａに電力を継続して供給できる。
【００１８】
[0028]ビデオプレーヤ１０３ａが通信していない場合、システムは、２つの事のうちの１つを行うことができる。第１に、システムは、図９でより詳細に説明されるような回復シーケンスを開始することができる。第２に、システムは、停止時間事象または故障データをシステム制御基板１０１に記憶することができ、オプションで停止時間事象または故障データをＮＯＣ装置２００に送信することができる。いくつかの実施形態では、システムは、プレーヤ１０３ａからの通信が検出されないときに、両方の機能を実行することができる。
【００１９】
[0029]それにかかわらず、ビデオプレーヤ１０３が通信している場合、システムは、ロジックの始めに戻り、電源ＬＥＤ１０５ａからの信号を監視し続けながらビデオプレーヤ１０３ａに単に電力を供給することができる。
【００２０】
[0030]図３は、システムの第２実施形態を動作させるための論理フローチャートである。ここで、システムは、ディスプレイ３０を１次プレーヤ１０３ａから駆動することによって開始する。次に、システムは、故障データまたは停止時間事象が１次プレーヤ１０３ａに記憶されたかどうかを判断するためにチェックし、そうでない場合、システムは１次プレーヤ１０３ａとの通常の動作を継続する。故障データまたは停止時間事象が１次プレーヤ１０３ａに記憶された場合、システムは、次に、２次プレーヤ１０３ｂからディスプレイ３０を駆動するように切り替えることができる。例えば、制限としての役割を果たすのではなく、故障または停止時間事象は、ディスプレイ３０に表示されているビデオがないこと、サポートされていない解像度フォーマットが受信されていること、サポートされていないフレームレートが受信されていること、エラーメッセージを受信していることなどを含んでもよい。
【００２１】
[0031]当業者おける通常のレベルのスキルを有する者は、故障データまたは停止時間事象の量、頻度、またはタイプの任意の閾値を設定することができることを認識するであろうし、その結果、閾値に達するか超過するまで、システムは１次プレーヤ１０３ａと２次プレーヤ１０３ｂとの間で切り替わらない。
【００２２】
[0032]図４は、システムの第３実施形態を動作させるための論理フローチャートである。本実施形態では、システムは、図３に関して示され、上述されたものと同様のロジックから始まる。
【００２３】
[0033]通常の動作状態では、システムは、１次ビデオプレーヤ１０３ａからディスプレイ３０を駆動することができる。しかし、一旦システムが２次プレーヤ１０３ｂに切り替わると、システムは、好ましくは、第２ビデオプレーヤ１０３ｂが通信しているかどうかを判断するためにチェックする。そうであれば、システムは、第２ビデオプレーヤ１０３ｂで通常の動作を続けることができる。そうでない場合、システムは、２つの事のうちの１つを行うことができる。第１に、システムは、前述したように、第２ビデオプレーヤ１０３ｂ上で回復シーケンスを開始することができる。第２に、または加えて、システムは、１次ビデオプレーヤ１０３ａが通信しているかどうかを確認するためにチェックすることができる。好ましくは、システムは、最初に回復シーケンスを開始し、回復シーケンスが不成功であることを見つけた後に１次プレーヤが通信しているかどうかを確認するためだけにチェックする。第１ビデオプレーヤ１０３ａが通信している場合、システムは、第１ビデオプレーヤ１０３ａにスイッチバックすることができる。そうでない場合、システムは、システム制御基板１０１に停止時間事象または故障データを記憶することができ、オプションで停止時間事象または故障データをＮＯＣ装置２００に送信することができる。いくつかの実施形態では、システムは、第１ビデオプレーヤ１０３ａが通信していないときに両方の機能を実行することができる。さらに、第１ビデオプレーヤ１０３ａと第２ビデオプレーヤ１０３ｂとの両方が通信していない場合、システムは、ディスプレイアセンブリ２００ｄに故障または停止時間事象状態を維持するように指示することができる。なお、例えば、限定はしないが、故障または停止時間事象状態は、デフォルトまたはエラーメッセージを表示することができる。
【００２４】
[0034]図５は、システムの第４実施形態を動作させるための論理フローチャートである。ここで、システムは、ディスプレイ３０を１次プレーヤ１０３ａから駆動することによって開始する。次に、システムは、１次プレーヤ１０３ａが通信しているかどうかを判断するためにチェックする。そうであれば、システムは、１次プレーヤ１０３ａとの通常の動作を継続する。そうでない場合、２次プレーヤ１０３ｂは、ディスプレイ３０を駆動するために使用され、システムは、１次プレーヤ１０３ａの電源を強制的にオフにしてから、１次プレーヤ１０３ａ上で回復シーケンスを開始する。次いで、システムは、１次プレーヤ１０３ａが通信しているかどうかをチェックするために戻る。もしそうであれば、システムは、ディスプレイ３０を駆動するために、それを用いて１次プレーヤ１０３ａからの動作を再開する。そうでなければ、システムは、２次プレーヤ１０３ｂとの動作を継続し、停止時間事象または故障データをシステム制御基板１０１に記憶することができ、オプションで停止時間事象または故障データをＮＯＣ装置２００に送信することができる。
【００２５】
[0035]図６は、システムの第５実施形態を動作させるための論理フローチャートである。本実施形態では、システムは、動作することが知られている（または想定されている）外部サーバまたは内部ネットワークアドレスにピングすることによって開始する。ピングからの応答がない場合、ネットワーク接続についての停止時間事象が記憶され、ネットワークおよび／またはネットワークインターフェース構成要素７０内の何らかのタイプの故障を示す。その後、システムは、動作することが知られている（または想定されている）外部サーバまたは内部ネットワークアドレスをピングするように戻ることができる。再び応答がない場合、次いで、ネットワーク接続用の停止時間事象が再度記憶される。システムがピングに対する応答を受信すると、システムは、オプションで、停止時間事象の１つまたはすべてをＮＯＣ装置２００に送信することができる。
【００２６】
[0036]図７は、システムの第６実施形態を動作させるための論理フローチャートである。本実施形態では、システムは、動作することが知られている（または想定されている）外部サーバまたは内部ネットワークアドレスにピングすることによって開始する。ピングへの応答がある場合、システムは、ネットワークが正しく動作していることを確認するために、将来、外部サーバまたは内部ネットワークアドレスを再度ピングするように戻ることがある。ピングからの応答がない場合、システムは、ネットワークインターフェース構成要素７０の回復シーケンスを開始することができる。システムは、好ましくは、ネットワークが正しく動作していることを確認するために、将来再び外部サーバまたは内部ネットワークアドレスを再度ピングするように戻る。
【００２７】
[0037]図８は、システムの第７実施形態を動作させるための論理フローチャートである。本実施形態では、システム制御基板１０１は、ビデオプレーヤ１０３ａからのビデオ／画像データにおける各フレームを解析して、フレームデータが時間（Ｔ）にわたって変化したかどうかを判断することができ、これは、ユーザによって選択された任意の期間であってもよく、例示的な期間（Ｔ）は１０〜１５分のオーダーであり得るが、再び任意の期間であってもよい。フレームデータが変更された場合、システムは、制御基板１０１がビデオ／画像データのより多くのフレームを解析するように戻る。フレームデータがＴにわたって変化していない場合、システムがビデオプレーヤ１０３ａ上で回復シーケンスを開始する間に、デフォルト画像またはビデオが表示されてもよい。システムは、オプションで、システム制御基板１０１でビデオプレーヤ１０３ａの停止時間事象または故障データを記憶することができる。ビデオプレーヤ１０３ａ上で回復シーケンスを実行した後、システムは、通常動作に戻り、その結果、制御基板１０１が、ビデオ／画像データのより多くのフレームを解析し、ビデオプレーヤ１０３ａが現在適切に動作しているか、適切に動作し続けているか、または停止時間あるいは故障を継続しているかを確認できる。
【００２８】
[0038]図９は、システムの第８実施形態を動作させるための論理フローチャートである。具体的には、図９は、回復シーケンスの例示的な実施形態を説明する。回復シーケンスは、電源ボタン１０４ａを押すこと、および／または電源を取り付けて、再取り付けする（すなわち、ディスプレイアセンブリ２００またはその個々の構成要素のプラグを抜いて電気を切り、再度プラグインする）ユーザのシミュレーションを備えることができる。回復シーケンスは、電源ボタン１０４ａのシミュレートされた「短押し」、電源ボタン１０４ａの「長押し」、および／またはビデオプレーヤ１０３ａに電力を供給することを停止し、ある時間が経過した後に電力を再供給することを含んでもよい。短押しは、ビデオプレーヤ１０３ａに単に再起動するように命令することができる。長押しは、ビデオプレーヤ１０３ａを強制的に再起動させることができる。これに代えて、またはそれに加えて、回復シーケンスは、ビデオプレーヤ１０３への電力を遮断し、次いで、ある期間が経過した後に電力を再供給することができる。
【００２９】
[0039]本発明の例示的な実施形態では、システムは、最初に、ビデオプレーヤ１０３ａの電源ボタン１０４ａの短押しをシミュレートできて、ビデオプレーヤ１０３ａの再起動のための時間を可能にする。次に、システムは、ビデオプレーヤ１０３ａが通信しているかどうかを確認するためにチェックする。そうである場合、システムは、停止時間事象を記憶してもよく、オプションとして、停止時間事象をネットワークオペレーションセンター２００に送信してもよい。そうでない場合、システムは、電源ボタン１０４ａの長押しをシミュレートできて、ビデオプレーヤ１０３ａが再起動する時間を可能にする。次いで、システムは、ビデオプレーヤ１０３ａが通信しているかどうかを確認するためにチェックすることができる。そうであれば、システムは、停止時間事象を記憶してもよく、オプションとして停止時間事象をネットワークオペレーションセンター２００に送信してもよい。そうでない場合、システムは、ビデオプレーヤ１０３ａへの電力の供給を停止し、所定の時間待機し、ビデオプレーヤに電源を再供給することができる。
【００３０】
[0040]オプションとして、システムは、次に、ビデオプレーヤ１０３ａが通信しているかどうかを確認するためにチェックすることができる。もしそうであれば、システムは、停止時間事象を記憶してもよく、オプションとして停止時間事象をネットワークオペレーションセンター２００に送信できる。そうでない場合、システムは、故障を記憶し、オプションとしてディスプレイアセンブリ２００ｄをデフォルトまたは故障モードにし、オプションとして、故障をネットワークオペレーションセンター２００に送信することができる。
【００３１】
[0041]回復シーケンスはビデオプレーヤ１０３ａおよびそれぞれの電源ボタン１０４ａに関して議論されるが、それは、第２ビデオプレーヤ１０３ｂおよびそれぞれの電源ボタン１０４ｂ、電源ボタン７５、ならびにシステムの他の構成要素と共に利用することができる。
【００３２】
[0042]本明細書で使用されるように、停止時間事象および／または故障は、以下に限定しないが、システムの特定の部分が停止した日時、具体的にはシステムのどの構成要素が停止したか、構成要素が停止した時間、動作が再開された日時を備える任意の数のデータを表すデータパッケージである。
【００３３】
[0043]本発明の例示的な実施形態では、本明細書で説明するように、第１ビデオプレーヤ１０３ａは１次プレーヤとして指定され、第２ビデオプレーヤ１０３ｂは２次プレーヤとして指定されることができるが、逆も考えられる。
【００３４】
[0044]電子ディスプレイ３０は、液晶ディスプレイ（ＬＣＤ）と、有機発光ダイオード（ＯＬＥＤ）ディスプレイと、プラズマディスプレイと、電子発光ポリマーディスプレイなどと、を備えるが、これらに限定されない任意のフラットパネル電子ディスプレイとすることができる。
【００３５】
[0045]当業者おける通常のレベルのスキルを有する者は、以下に限定しないが電源ボタン７５および電源ボタン１０４などの本明細書に記載されたボタンは、物理的なボタンであってもよいし、電気信号、スイッチ、回路、トランジスタ等などの非物理的なボタンであってもよいことを認識するであろう。
【００３６】
[0046]本発明の好ましい実施形態を図示および説明してきたが、当業者であれば、記載された発明に影響を及ぼすために多くの変形および修正がなされてもよく、特許請求の範囲に記載された発明の範囲内であってもよい。加えて、上述した要素の多くは、同じ結果を提供し、特許請求の範囲に記載の発明の趣旨に含まれる異なる要素によって変更または置き換えられてもよい。したがって、特許請求の範囲によって示されるように本発明を限定することを意図するものである。
【図１】
0006639653.tif 000002
【図１Ａ】
0006639653.tif 000003
【図２】
0006639653.tif 000004
【図３】
0006639653.tif 000005
【図４】
0006639653.tif 000006
【図５】
0006639653.tif 000007
【図６】
0006639653.tif 000008
【図７】
0006639653.tif 000009
【図８】
0006639653.tif 000010
【図９】
0006639653.tif 000011